(57)【要約】【課題】筐体より洗浄槽を引き出して食器類を出し入れする食器洗い機において、脚の滑り性をよくするとともに、所定の位置に設置した後の食器洗い機本体の前後の移動を防止し、食器洗い機本体を設置するときの作業性を向上する。【解決手段】上方に開口部を有する洗浄槽３を板金製の筐体１６により前後方向に移動可能に支持し、設置台１３に取り付けた前ずれ防止部材２０により筐体１６を含む食器洗い機本体１８が手前に移動するのを防止するとともに、転倒防止部材２２により食器洗い機本体１８が手前に転倒するのを防止する。筐体１６の底面の四隅に脚１９となる凸部を形成し、転倒防止部材２２は食器洗い機本体１８が後方へ移動するのを防止するように設置台１３に取り付ける。【選択図】  図１
2004147740.tif 000002
【特許請求の範囲】
【請求項１】
上方に開口部を有する洗浄槽と、この洗浄槽を前後方向に移動可能に支持する板金製の筐体と、設置台等に取り付け前記筐体を含む食器洗い機本体が手前に移動するのを防止する前ずれ防止部材と、前記設置台等に取り付け食器洗い機本体が手前に転倒するのを防止する転倒防止部材とを備え、前記筐体の底面の四隅に脚となる凸部を形成し、前記転倒防止部材は食器洗い機本体が後方へ移動するのを防止するように設置台に取り付けた食器洗い機。
【請求項２】
前ずれ防止部材および転倒防止部材は、それぞれ弾性を有する緩衝材を介して食器洗い機本体を保持するようにした請求項１記載の食器洗い機。
【発明の詳細な説明】
【０００１】
【発明の属する技術分野】
本発明は、筐体より洗浄槽を引き出して食器類を出し入れする食器洗い機に関する。
【０００２】
【従来の技術】
近年、洗浄槽を筐体より手前に引き出し、洗浄槽の上部より食器類の出し入れを行う引き出し式の食器洗い機が登場している。
【０００３】
従来、この種の食器洗い機は図４に示すように構成していた。以下、その構成について説明する。
【０００４】
図４に示すように、筐体１は、前方に開口部２を有するとともに、上方が開口した洗浄槽３をレール４を介して前後方向に移動可能に支持している。洗浄槽３内には洗浄水を噴射するノズル５を回転自在に設けるとともに、食器類６を収容する食器かご７を配置している。洗浄槽３内の洗浄水はヒータ８によって温められながら、洗浄ポンプ９によって排水口１０より吸い込まれ、ノズル５へと送られる。ノズル５へ送られた洗浄水は洗浄槽３内へ噴射され、食器かご７に収容された食器類６を洗浄する。
【０００５】
脚１１は筐体１の底面の四隅に設け、食器洗い機本体１２を設置台１３に設置した後の移動を防ぐために摩擦係数の大きな弾性を有する材料で構成し、筐体１にはめ込み固定している。また、前ずれ防止部材１４は、食器洗い機本体１２を設置台１３の上に所定に設置し、洗浄槽３を手前に引き出すときの衝撃で、食器洗い機本体１２が手前に移動するのを防止するもので、ねじ等で設置台１３に固定している（例えば、特許文献１参照）。
【０００６】
さらに、転倒防止部材１５は、引き出した洗浄槽３に下向きに力が加えられたとき、食器洗い機本体１２が手前に転倒するのを防止するもので、ねじ等で設置台１３に固定している（例えば、特許文献２参照）。
【０００７】
【特許文献１】
特開２００１−６１７４５号公報
【特許文献２】
特開平１−９１４５８号公報
【０００８】
【発明が解決しようとする課題】
このような従来の食器洗い機においては、食器洗い機本体１２を設置する場合、設置台１３上を食器洗い機本体１２を滑らせて押し込んでいくが、このとき、筐体１底面の四隅に設けた脚１１が滑りにくいため、設置の作業性が非常に悪く、ときには脚１１が筐体１から外れてしまうということがある。
【０００９】
本発明は上記従来の課題を解決するもので、脚の滑り性をよくするとともに、所定の位置に設置した後の食器洗い機本体の前後の移動を防止できるようにし、食器洗い機本体を設置するときの作業性を向上することを目的としている。
【００１０】
【課題を解決するための手段】
本発明は上記目的を達成するために、上方に開口部を有する洗浄槽を板金製の筐体により前後方向に移動可能に支持し、設置台等に取り付けた前ずれ防止部材により筐体を含む食器洗い機本体が手前に移動するのを防止するとともに、転倒防止部材により食器洗い機本体が手前に転倒するのを防止するよう構成し、筐体の底面の四隅に脚となる凸部を形成し、転倒防止部材は食器洗い機本体が後方へ移動するのを防止するように設置台に取り付けたものである。
【００１１】
これにより、脚の滑り性をよくできるとともに、所定の位置に設置した後の食器洗い機本体の前後の移動を防止することができ、食器洗い機本体を設置するときの作業性を向上することができる。
【００１２】
【発明の実施の形態】
本発明の請求項１に記載の発明は、上方に開口部を有する洗浄槽と、この洗浄槽を前後方向に移動可能に支持する板金製の筐体と、設置台等に取り付け前記筐体を含む食器洗い機本体が手前に移動するのを防止する前ずれ防止部材と、前記設置台等に取り付け食器洗い機本体が手前に転倒するのを防止する転倒防止部材とを備え、前記筐体の底面の四隅に脚となる凸部を形成し、前記転倒防止部材は食器洗い機本体が後方へ移動するのを防止するように設置台に取り付けたものであり、脚は板金の絞り形状で構成されるため脚の滑り性がよく、食器洗い機本体の設置時に、食器洗い機本体を押し込む作業が楽になり、また、所定の位置に食器洗い機本体を設置した後は、前ずれ防止部材と転倒防止部材で食器洗い機本体の前後の移動を抑えることができるため、設置した後に食器洗い機本体が移動することなく、設置作業性を向上することができる。
【００１３】
請求項２に記載の発明は、上記請求項１に記載の発明において、前ずれ防止部材および転倒防止部材は、それぞれ弾性を有する緩衝材を介して食器洗い機本体を保持するようにしたものであり、設置後の食器洗い機本体の移動防止の精度を上げることができ、信頼性の高い食器洗い機を提供することができる。
【００１４】
【実施例】
以下、本発明の一実施例について、図面を参照しながら説明する。なお、従来例と同じ構成のものについては同一符号を付して説明を省略する。
【００１５】
図１に示すように、筐体１６は、板金製で、前方に開口部１７を有するとともに、レール４を介して上方が開口した洗浄槽３を前後方向に移動可能に支持し、食器洗い機１８を構成している。脚１９は筐体１６の底面の四隅に形成した凸部により構成し、食器洗い機本体１８を滑り性を確保しながら支持している。
【００１６】
前ずれ防止部材２０は、食器洗い機本体１８を設置台１３の上に所定に設置し、洗浄槽３を手前に引き出すときの衝撃で、食器洗い機本体１８が手前に移動するのを防止するもので、ねじ等で設置台１３に固定し、図２に示すように、弾性を有する緩衝材２１を介して、食器洗い機本体１８を構成する筐体１６に当接して保持している。
【００１７】
また、転倒防止部材２２は、引き出した洗浄槽３に下向きに力が加えられたとき、食器洗い機本体１８が手前に転倒するのを防止するもので、ねじ等で設置台１３に固定し、図３に示すように、緩衝材２３を介して食器洗い機本体１８を構成する筐体１６に当接して保持し、食器洗い機本体１８が後方へ移動するのを防止するようにしている。
【００１８】
上記構成において作用を説明すると、脚１９は、板金製の筐体１６の底面に凸形状に形成しているので、滑り性のよい金属面で構成されるため、滑り性がよく、食器洗い機本体１８を設置するとき、食器洗い機本体１８を押し込む作業が楽になり、作業性を向上することができる。
【００１９】
また、所定の位置に食器洗い機本体１８を設置した後は、前ずれ防止部材２０と転倒防止部材２２で食器洗い機本体１８の前後の移動を抑えることができるため、設置した後に食器洗い機本体１８が移動することなく、また、引き出した洗浄槽３に下向きに力が加えられても、転倒防止部材２２により食器洗い機本体１８が手前に転倒するのを防止することができる。
【００２０】
また、前ずれ防止部材２０および転倒防止部材２２は、それぞれ弾性を有する緩衝材２１、２３を介して食器洗い機本体１８を保持しているので、設置後の食器洗い機本体１８の移動防止の精度を上げることができ、信頼性の高い食器洗い機を提供することができる。
【００２１】
なお、本実施例では、食器洗い機本体１８を設置台１３の上に設置し、前ずれ防止部材２０および転倒防止部材２２をねじ等で設置台１３に固定しているが、食器洗い機本体１８は必ずしも設置台１３の上に設置する必要はなく、床面などに設置してもよく、食器洗い機本体１８を設置した設置面に前ずれ防止部材２０および転倒防止部材２２を固定することにより、同様の作用効果を得ることができる。
【００２２】
【発明の効果】
以上のように、本発明の請求項１に記載の発明によれば、上方に開口部を有する洗浄槽を板金製の筐体により前後方向に移動可能に支持し、設置台等に取り付けた前ずれ防止部材により筐体を含む食器洗い機本体が手前に移動するのを防止するとともに、転倒防止部材により食器洗い機本体が手前に転倒するのを防止するよう構成し、筐体の底面の四隅に脚となる凸部を形成し、転倒防止部材は食器洗い機本体が後方へ移動するのを防止するように設置台に取り付けたから、脚の滑り性をよくすることができて、食器洗い機本体を設置するとき、食器洗い機本体を押し込む作業が楽になるとともに、所定の位置に設置した後は前ずれ防止部材と転倒防止部材とで食器洗い機本体の前後の移動を防止することができ、設置後の食器洗い機本体の移動性を悪化させることなしに、食器洗い機本体を設置するときの作業性を向上することができる。
【図面の簡単な説明】
【図１】本発明の一実施例の食器洗い機の縦断面図
【図２】同食器洗い機の筐体を前ずれ防止部材により保持した状態の要部拡大断面図
【図３】同食器洗い機の筐体を転倒防止部材により保持した状態の要部拡大断面図
【図４】従来の食器洗い機の縦断面図
【符号の説明】
３  洗浄槽
１３  設置台
１６  筐体
１８  食器洗い機本体
１９  脚
２０  前ずれ防止部材
２２  転倒防止部材
【図１】
2004147740.tif 000003
【図２】
2004147740.tif 000004
【図３】
2004147740.tif 000005
【図４】
2004147740.tif 000006